(57)【要約】【課題】本体の前面から遠赤外線による熱を輻射することのできるファンコンベクタを提供する。【解決手段】本体の前面パネル２と本体内に設けられた仕切板３との間に平板状の放射板９を設けるとともに前記前面パネル２に複数の放射孔２ａを穿設し、前記仕切板３の下端と前記前面パネル２との間の開口部１１に、第一の状態で吹出口６を開放し前記開口部１１を閉鎖する一方、第二の状態で前記吹出口６を閉鎖し前記開口部１１を開放する開閉板１０を回動自在に設ける。【選択図】  図１
2004177003.tif 000002
【特許請求の範囲】
【請求項１】
本体の背面上部に吸込口を、前面下部に吹出口を夫々設け、前記吸込口と前記吹出口とを結ぶ空気通路に、前記吸込口に臨むように吸込まれた空気を加熱する放熱器と、加熱された空気を前記吹出口から室内に送出する送風ファンとを設けるとともに、本体前面と前記放熱器との間に仕切板を設けてなるファンコンベクタにおいて、
前記本体前面に複数の放射孔を穿設するとともに、同本体前面と前記仕切板との間に、同仕切板より小さい平板状の放射板を設け、前記仕切板下端と前記本体前面との間に形成された開口部に、第一の状態で同開口部を閉鎖し前記吸込孔を開放する一方、第二の状態で前記開口部を開放し、前記吹出口を閉鎖する開閉板を設けてなり、
前記第二の状態で前記開口部を開放し前記吹出口を閉鎖することにより、前記送風ファンから送出された高温の温風を前記開口部を介して前記放射板側に導びき、同放射板を加熱しながらこれの周縁を通過させて前記放射孔から前方に放出する一方、加熱された前記放射板からの輻射熱を前記放射孔から前方に輻射してなることを特徴とするファンコンベクタ。
【請求項２】
前記放射板が、所定の温度に達すると遠赤外線を放射するセラミックス材、あるいはセラミックコーティングを施したアルミ板からなることを特徴とする請求項１に記載のファンコンベクタ。
【請求項３】
前記放射板が、所定の温度に達すると遠赤外線を放射するアルミ板からなることを特徴とする請求項１に記載のファンコンベクタ。
【請求項４】
前記放射板が、所定の温度に達すると遠赤外線を放射するアルマイト処理を施したアルミ板からなることを特徴とする請求項３に記載のファンコンベクタ。
【請求項５】
前記放射板が、表面に遠赤外線放射塗料を塗布したアルミ板からなることを特徴とする請求項３に記載のファンコンベクタ。
【請求項６】
前記開閉板が、前記吹出口の上縁裏面に設けられた支軸部により回動自在に設けられ、下方に回動すると前記吹出口を閉鎖し、上方に回動すると前記吸込孔を閉鎖してなることを特徴とする請求項１に記載のファンコンベクタ。
【発明の詳細な説明】
【０００１】
【発明の属する技術分野】
本発明は、ファンコンベクタに関わり、より詳細には、温風を利用して前面パネルから輻射熱を輻射できるようにした構成に関する。
【０００２】
【従来の技術】
従来のファンコンベクタは、例えば図２で示すように、前面が開放された後部パネルと、これに装着される後面が開放された前面パネルとで本体を構成し、同本体の背面上部に吸込口３１を、前面下部に上下風向偏向板３２ａと左右風向偏向板３２ｂとを備えた吹出口３２を設けている。前記吸込口３１と前記吹出口３２とを結ぶ空気通路には、温水が循環する放熱器３３と、その下流側には送風ファン３４とが設けられており、前記放熱器３３により加熱された空気は前記送風ファン３４により前記吹出口３２から温風となって室内に送出されるようになっている。。（特許文献１参照）
【０００３】
しかしながら、室内を暖房するのは前記吹出口３２から送出される温風に限定され、また前記放熱器３１での温水と吸込まれた空気との間で行われる熱交換効率には限界があり、温水の熱エネルギを充分に有効利用できる改善が求められていた。
【０００４】
【特許文献１】
特開２０００−０１８６２８号
【０００５】
【発明が解決しようとする課題】
本発明は上記問題点に鑑み、前記放熱器で加熱された空気の熱エネルギを輻射熱に変換し、暖房効果を向上させたファンコンベクタを提供することを目的とする。
【０００６】
【課題を解決するための手段】
本発明は上記課題を解決するため、本体の背面上部に吸込口を、前面下部に吹出口を夫々設け、前記吸込口と前記吹出口とを結ぶ空気通路に、前記吸込口に臨むように吸込まれた空気を加熱する放熱器と、加熱された空気を前記吹出口から室内に送出する送風ファンとを設けるとともに、本体前面と前記放熱器との間に仕切板を設けてなるファンコンベクタにおいて、
前記本体前面に複数の放射孔を穿設するとともに、同本体前面と前記仕切板との間に、同仕切板より小さい平板状の放射板を設け、前記仕切板下端と前記本体前面との間に形成された開口部に、第一の状態で同開口部を閉鎖し前記吸込孔を開放する一方、第二の状態で前記開口部を開放し、前記吹出口を閉鎖する開閉板を設けてなり、
前記第二の状態で前記開口部を開放し前記吹出口を閉鎖することにより、前記送風ファンから送出された高温の温風を前記開口部を介して前記放射板側に導びき、同放射板を加熱しながらこれの周縁を通過させて前記放射孔から前方に放出する一方、加熱された前記放射板からの輻射熱を前記放射孔から前方に輻射してなる構成となっている。
【０００７】
また、前記放射板が、所定の温度に達すると遠赤外線を放射するセラミックス材、あるいはセラミックコーティングを施したアルミ板からなる構成となっている。
【０００８】
また、前記放射板が、所定の温度に達すると遠赤外線を放射するアルミ板からなる構成となっている。
【０００９】
また、前記放射板が、所定の温度に達すると遠赤外線を放射するアルマイト処理を施したアルミ板からなる構成となっている。
【００１０】
また、前記放射板が、表面に遠赤外線放射塗料を塗布したアルミ板からなる構成となっている。
【００１１】
また、前記開閉板が、前記吹出口の上縁裏面に設けられた支軸部により回動自在に設けられ、下方に回動すると前記吹出口を閉鎖し、上方に回動すると前記吸込孔を閉鎖してなる構成となっている。
【００１２】
【発明の実施の形態】
以下、本発明の実施の形態を、添付図面に基づいた実施例として詳細に説明する。
図１は本発明によるファンコンベクタを示す断面図であり、図２は従来例を示す断面図である。
本発明によるファンコンベクタは、図１で示すように、前面が開放された後部パネル１と、同後部パネル１に枠体を介して装着される後面が開放された前面パネル２とで本体を構成し、これをベース４により床面上に支持している。本体の背面上部には複数の横桟により吸込口５が、前面下部には吹出口６が夫々設けられ、前記吸込口５の裏面には吸込まれた空気に含有された塵埃を除去する不織布からなるフィルター５ａが着脱自在に装着されている。
【００１３】
前記吸込口５と前記吹出口６とを結ぶ空気通路には、前記吸込口５に臨むように、並設された多数のフィンと、同フィンに直交するように蛇行状に配設された伝熱管とからなる放熱器７が設けられ、同放熱器７の下流側には前記吹出口６から温風を送出する送風ファン８が設けられており、また前面パネル２と前記放熱器７の間には、断面逆Ｌ字状の仕切板３が設けられている。前記吸込口５から吸込まれた室内の空気は、前記フィルター５ａにより含有する塵埃を除去された後、温水が循環する前記放熱器７との間で熱交換を行い加熱される。加熱された空気は続いて下流側に設けられた前記送風ファン８により前記吹出口６から再び室内に送出されるようになっている。
【００１４】
前記前面パネル２と前記仕切板３との間には、同仕切板３よりも面積が小さい放射板９が設けられている。同放射板９は、セラミックス材あるいはセラミックコーティングを施した鋼板からなり、所定の温度に達すると表面から波長が４μｍ〜１ｍｍの範囲の遠赤外線を放射するようになっている。また、前記放射板９の材質は、所定の温度に達すると遠赤外線を放射するアルミ板、あるいは表面に酸化皮膜を生成させるアルマイト処理を施したアルミ板、あるいは表面に遠赤外線放射塗料を塗布したアルミ板に代替させることもできる。
【００１５】
前記仕切板３の下端と前記前面パネル２との間に形成された開口部１１には、同開口部１１を開閉する開閉板１０が設けられている。前記吹出口６の上縁裏面には、前記開閉板１０を回動自在に軸支する支軸部１０ａが設けられており、前記開閉板１０が前記支軸部１０ａにより回動すると、第一の状態で前記吹出口６を開放し前記開口部１１を閉鎖する一方、第二の状態で前記吹出口６を閉鎖し前記開口部１１を開放するようになっている。
【００１６】
次に、動作について説明する。前記開閉板１０が前記開口部１１を閉鎖した状態では、前記吸込口５から吸込まれた室内の空気は、前記放熱器７により加熱され、約２０〜３０℃の温風となって前記吹出口６から室内に送出されるようになっている。
【００１７】
前記開閉板１０を上記した第二の状態となるように下方に回動させ前記吹出口６を閉鎖する一方、前記開口部１１を開放する。また前記送風ファンを低速運転に切換える。前記吸込口５から吸込まれた空気は低速で前記放熱器７を通過することにより同放熱器７内を循環する約８０℃のの温水により約７０℃近傍まで加熱される。加熱された温風は前記送風ファン８を経て前記開口部１１に流入し、前記放射板９側に導びかれて同放射板９を加熱するようになっている。加熱されて徐々に温度が上昇した前記放射板９は約６０℃前後の所定の温度に達すると、波長が４μｍ〜１ｍｍの範囲の遠赤外線を前面パネル２に穿設された複数の前記放射孔２ａから前面に向かい輻射するようになっている。また加熱しおえた温風も前記放射板９の周縁を通り前記放射孔２ａから前面に向かい放出されるようになっている。
【００１８】
上記したように、前記前面パネル２から温風を送出する一方、前記放射板９から遠赤外線による熱を輻射することにより、前記放熱器７に循環する温水の熱エネルギを有効に利用することのできるファンコンベクタとすることができる。
【００１９】
【発明の効果】
以上説明したように、本発明によると、本体前面と仕切板との間に平板状の放射板を設けるとともに本体前面に複数の放射孔を穿設し、前記仕切板の下端と本体前面との間に開口された開口部に、第一の状態で吹出口を開放し前記開口部を閉鎖する一方、第二の状態で前記吹出口を閉鎖し前記開口部を開放する開閉板を設けることにより、必要に応じ本体前面から温風を送出する一方、前記放射板からの遠赤外線による熱を輻射することができ、放熱器に循環する温水の熱エネルギを有効に利用することのできるファンコンベクタとすることができる。
【図面の簡単な説明】
【図１】本発明によるファンコンベクタを示す断面図である。
【図２】従来例によるファンコンベクタを示す断面図である。
【符号の説明】
１  後部パネル
２  前面パネル
２ａ  放射孔
３  仕切板
４  ベース
５  吸込口
５ａ  フィルター
６  吹出口
７  放熱器
８  送風ファン
９  放射板
１０  開閉板
１０ａ  支軸部
１１  開口部
【図１】
2004177003.tif 000003
【図２】
2004177003.tif 000004